【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
デバイス間（Ｄ２Ｄ）データ送信およびスケジューリング割り当て（ＳＡ）送信のための時間リソースのブロックを識別することと、
周期的ＳＡ送信スケジューリング外の前記ＳＡ送信と時間リソースの前記ブロックとの間の所定の関係を識別することと、
時間リソースの前記ブロック全体から、ＳＡを送信するための前記時間リソースのサブセットを選択することと、
前記時間リソースの前記サブセットを使用して、および前記所定の関係に従って、前記ＳＡ送信を送信することと、
を備える、方法。
【請求項２】
前記Ｄ２Ｄデータ送信および前記ＳＡ送信のための周波数リソースのセットを識別することと、
前記ＳＡを送信するための前記周波数リソースのサブセットを選択することと
をさらに備え、ここにおいて、前記周波数リソースの前記サブセットは、周波数リソースの前記セットの定義されたセグメント内に位置する、請求項１に記載の方法。
【請求項３】
周波数リソースの前記サブセットは、第１のＳＡ送信を送信するための周波数リソースの第１のサブセット、および第２のＳＡ送信を送信するための周波数リソースの第２のサブセットを備える、請求項２に記載の方法。
【請求項４】
周波数リソースの前記第１のサブセットを使用して、前記第１のＳＡ送信を送信することと、
周波数リソースの前記第２のサブセットを使用して、前記第２のＳＡ送信を送信することと
をさらに備える、請求項３に記載の方法。
【請求項５】
周波数リソースの前記第２のサブセットは、周波数リソースの前記第１のサブセットと周波数リソースの前記第２のサブセットとの間の定義された関係に基づいて決定される、請求項３に記載の方法。
【請求項６】
周波数リソースの前記セットは、複数の周波数サブ帯域を備え、周波数リソースの前記第１のサブセットは、前記複数の周波数サブ帯域の第１のサブセットに位置し、周波数リソースの前記第２のサブセットは、前記複数の周波数サブ帯域の前記第１のサブセットとは異なる前記複数の周波数サブ帯域の第２のサブセットに位置する、請求項３に記載の方法。
【請求項７】
周波数リソースの前記セットは、複数のリソースブロックを備え、周波数リソースの前記第１のサブセットは、前記複数のリソースブロックの第１のサブセットに位置し、周波数リソースの前記第２のサブセットは、前記複数のリソースブロックの前記第１のサブセットとは異なる前記複数のリソースブロックの第２のサブセットに位置する、請求項３に記載の方法。
【請求項８】
周波数リソースの前記第１のサブセットは、偶数番号を付されたリソースブロックに位置し、周波数リソースの前記第２のサブセットは、奇数番号を付されたリソースブロックに位置する、請求項７に記載の方法。
【請求項９】
前記ＳＡは、前記Ｄ２Ｄデータ送信のために使用されることとなる、前記ＳＡ送信に続く時間リソースを示すビットマップを含む、請求項１に記載の方法。
【請求項１０】
前記ビットマップは、最後のＳＡ送信に続く第１のサブフレームに適用される、請求項９に記載の方法。
【請求項１１】
前記ビットマップは、前記Ｄ２Ｄデータを送信するために使用されることとなる送信の開始のために最後のＳＡ送信の後オフセットを適用する、請求項９に記載の方法。
【請求項１２】
前記ＳＡは、前記Ｄ２Ｄデータの送信の数を示し、前記ビットマップは、前記Ｄ２Ｄデータの前記送信の各々について時間リソースを示す、請求項９に記載の方法。
【請求項１３】
少なくとも１つのＤ２Ｄユーザ機器（ＵＥ）の他のＳＡ送信を検出することをさらに備え、
ここにおいて、前記ＳＡを送信するための前記時間リソースの前記サブセットを選択することは、前記他のＳＡ送信によって示されるリソース以外のリソースを選択することを備える、請求項１に記載の方法。
【請求項１４】
ワイヤレス通信のための装置であって、
デバイス間（Ｄ２Ｄ）データ送信およびスケジューリング割り当て（ＳＡ）送信のための時間リソースのブロックを識別するための手段と、
周期的ＳＡ送信スケジューリング外の前記ＳＡ送信と時間リソースの前記ブロックとの間の所定の関係を識別するための手段と、
時間リソースの前記ブロック全体から、ＳＡを送信するための前記時間リソースのサブセットを選択するための手段と、
時間リソースの前記サブセットを使用して、および前記所定の関係に従って、前記ＳＡ送信を送信するための手段と
を備える、装置。
【請求項１５】
ワイヤレス通信のためのコードを記憶するコンピュータ読み取り可能な媒体であって、前記コードは、実行されると、コンピュータに、請求項１ないし１３のいずれか一項に記載の方法を実行させる命令を備える、コンピュータ読み取り可能な媒体。
【手続補正２】
【補正対象書類名】明細書
【補正対象項目名】００９７
【補正方法】変更
【補正の内容】
【００９７】
[0104]ここでの説明は、当業者が本開示を製造または使用することを可能にするように提供される。本開示への様々な修正は、当業者にとって容易に明らかであり、ここで定義された一般的な原理は、本開示の範囲から逸脱することなく、他のバリエーションに適用され得る。よって、本開示は、ここで説明される例および設計に限定されるべきではなく、ここで開示された原理および新規な特徴と一致する最も広い範囲を与えられることとなる。
以下に本願の出願当初の特許請求の範囲に記載された発明を付記する。
［Ｃ１］  ワイヤレス通信のための方法であって、
デバイス間（Ｄ２Ｄ）データ送信およびスケジューリング割り当て（ＳＡ）送信のための時間リソースのブロックを識別することと、
周期的ＳＡ送信がない場合、時間リソースの前記ブロックと前記ＳＡ送信との間の所定の関係を識別することと、
時間リソースの前記ブロック全体から、ＳＡを送信するための前記時間リソースのサブセットを選択することと、
前記時間リソースの前記サブセットを使用して、および前記所定の関係に従って、前記ＳＡ送信を送信することと、
を備える、方法。
［Ｃ２］  前記Ｄ２Ｄデータ送信および前記ＳＡ送信のための周波数リソースのセットを識別することと、
前記ＳＡを送信するための前記周波数リソースのサブセットを選択することとをさらに備え、ここにおいて、前記周波数リソースの前記サブセットは、周波数リソースの前記セットの定義されたセグメント内に位置する、Ｃ１に記載の方法。
［Ｃ３］  周波数リソースの前記サブセットは、第１のＳＡ送信を送信するための周波数リソースの第１のサブセット、および第２のＳＡ送信を送信するための周波数リソースの第２のサブセットを備える、Ｃ２に記載の方法。
［Ｃ４］  周波数リソースの前記第１のサブセットを使用して、前記第１のＳＡ送信を送信することと、
周波数リソースの前記第２のサブセットを使用して、前記第２のＳＡ送信を送信することと
をさらに備える、Ｃ３に記載の方法。
［Ｃ５］  前記第２のＳＡ送信は、前記第１のＳＡ送信の再送信である、Ｃ４に記載の方法。
［Ｃ６］  周波数リソースの前記第２のサブセットは、周波数リソースの前記第１のサブセットと周波数リソースの前記第２のサブセットとの間の定義された関係に基づいて決定される、Ｃ３に記載の方法。
［Ｃ７］  周波数リソースの前記セットは、複数の周波数サブ帯域を備え、周波数リソースの前記第１のサブセットは、前記複数の周波数サブ帯域の第１のサブセットに位置し、周波数リソースの前記第２のサブセットは、前記複数の周波数サブ帯域の前記第１のサブセットとは異なる前記複数の周波数サブ帯域の第２のサブセットに位置する、Ｃ３に記載の方法。
［Ｃ８］  周波数リソースの前記セットは、複数のリソースブロックを備え、周波数リソースの前記第１のサブセットは、前記複数のリソースブロックの第１のサブセットに位置し、周波数リソースの前記第２のサブセットは、前記複数のリソースブロックの前記第１のサブセットとは異なる前記複数のリソースブロックの第２のサブセットに位置する、Ｃ３に記載の方法。
［Ｃ９］  周波数リソースの前記第１のサブセットは、偶数番号を付されたリソースブロックに位置し、周波数リソースの前記第２のサブセットは、奇数番号を付されたリソースブロックに位置する、Ｃ８に記載の方法。
［Ｃ１０］  前記ＳＡは、前記Ｄ２Ｄデータ送信のために使用されることとなる、前記ＳＡ送信に続く時間リソースを示すビットマップを含む、Ｃ１に記載の方法。
［Ｃ１１］  前記ビットマップは、最後のＳＡ送信に続く第１のサブフレームに適用される、Ｃ１０に記載の方法。
［Ｃ１２］  前記ビットマップは、定義された数のビットを備え、前記ビットマップの送信は、送信の数が前記ビットマップにおいて識別された時間リソースを超えて拡張するとき、繰り返される、Ｃ１１に記載の方法。
［Ｃ１３］  前記ビットマップは、前記Ｄ２Ｄデータを送信するために使用されることとなる送信の開始のために最後のＳＡ送信の後オフセットを適用する、Ｃ１０に記載の方法。
［Ｃ１４］  前記ＳＡは、前記Ｄ２Ｄデータの送信の数を示し、前記ビットマップは、前記Ｄ２Ｄデータの前記送信の各々について時間リソースを示す、Ｃ１０に記載の方法。
［Ｃ１５］  少なくとも１つのＤ２Ｄユーザ機器（ＵＥ）の他のＳＡ送信を検出することをさらに備え、
ここにおいて、前記ＳＡを送信するための前記時間リソースの前記サブセットを選択することは、前記他のＳＡ送信によって示されるリソース以外のリソースを選択することを備える、Ｃ１に記載の方法。
［Ｃ１６］  時間リソースの前記ブロックと前記ＳＡ送信との間の前記所定の関係を識別することは、前記他のＳＡ送信によって示される前記リソースに少なくとも部分的に基づく、Ｃ１５に記載の方法。
［Ｃ１７］  時間リソースの前記ブロックと前記ＳＡ送信との間の前記所定の関係は、基地局によってシグナリングされる、Ｃ１に記載の方法。
［Ｃ１８］  前記Ｄ２Ｄデータ送信およびＳＡ送信は、車車間（Ｖ２Ｖ）通信である、Ｃ１に記載の方法。
［Ｃ１９］  ワイヤレス通信のための装置であって、
デバイス間（Ｄ２Ｄ）データ送信およびスケジューリング割り当て（ＳＡ）送信のための時間リソースのブロックを識別するための手段と、
周期的ＳＡ送信がない場合、時間リソースの前記ブロックと前記ＳＡ送信との間の所定の関係を識別するための手段と、
時間リソースの前記ブロック全体から、ＳＡを送信するための前記時間リソースのサブセットを選択するための手段と、
時間リソースの前記サブセットを使用して、および前記所定の関係に従って、前記ＳＡ送信を送信するための手段と
を備える、装置。
［Ｃ２０］  前記Ｄ２Ｄデータ送信および前記ＳＡ送信のための周波数リソースのセットを識別するための手段と、
前記ＳＡを送信するための前記周波数リソースのサブセットを選択するための手段とをさらに備え、ここにおいて、前記周波数リソースの前記サブセットは、周波数リソースの前記セットの定義されたセグメント内に位置する、Ｃ１９に記載の装置。
［Ｃ２１］  周波数リソースの前記サブセットは、第１のＳＡ送信を送信するための周波数リソースの第１のサブセット、および第２のＳＡ送信を送信するための周波数リソースの第２のサブセットを備える、Ｃ２０に記載の装置。
［Ｃ２２］  周波数リソースの前記第１のサブセットを使用して前記第１のＳＡ送信を送信するための手段と、
周波数リソースの前記第２のサブセットを使用して前記第２のＳＡ送信を送信するための手段と
をさらに備える、Ｃ２１に記載の装置。
［Ｃ２３］  前記第２のＳＡ送信は、前記第１のＳＡ送信の再送信である、Ｃ２２に記載の装置。
［Ｃ２４］  周波数リソースの前記第２のサブセットは、周波数リソースの前記第１のサブセットと周波数リソースの前記第２のサブセットとの間の所定の関係に基づいて決定される、Ｃ２１に記載の装置。
［Ｃ２５］  周波数リソースの前記セットは、複数の周波数サブ帯域を備え、周波数リソースの前記第１のサブセットは、前記複数の周波数サブ帯域の第１のサブセットに位置し、周波数リソースの前記第２のサブセットは、前記複数の周波数サブ帯域の前記第１のサブセットとは異なる前記複数の周波数サブ帯域の第２のサブセットに位置する、Ｃ２１に記載の装置。
［Ｃ２６］  周波数リソースの前記セットは、複数のリソースブロックを備え、周波数リソースの前記第１のサブセットは、前記複数のリソースブロックの第１のサブセットに位置し、周波数リソースの前記第２のサブセットは、前記複数のリソースブロックの前記第１のサブセットとは異なる前記複数のリソースブロックの第２のサブセットに位置する、Ｃ２１に記載の装置。
［Ｃ２７］  周波数リソースの前記第１のサブセットは、偶数番号を付されたリソースブロックに位置し、周波数リソースの前記第２のサブセットは、奇数番号を付されたリソースブロックに位置する、Ｃ２６に記載の装置。
［Ｃ２８］  前記ＳＡは、前記Ｄ２Ｄデータ送信のために使用されることとなる、前記ＳＡ送信に続く時間リソースを示すビットマップを含む、Ｃ１９に記載の装置。
［Ｃ２９］  前記ビットマップは、最後のＳＡ送信に続く第１のサブフレームに適用される、Ｃ２８に記載の装置。
［Ｃ３０］  前記ビットマップは、定義された数のビットを備え、前記ビットマップの送信は、送信の数が前記ビットマップにおいて識別された時間リソースを超えて拡張するとき、繰り返される、Ｃ２９に記載の装置。
［Ｃ３１］  前記ビットマップは、前記Ｄ２Ｄデータを送信するために使用されることとなる送信の開始のために最後のＳＡ送信の後オフセットを適用する、Ｃ２８に記載の装置。
［Ｃ３２］  前記ＳＡは、前記Ｄ２Ｄデータの送信の数を示し、前記ビットマップは、前記Ｄ２Ｄデータの前記送信の各々についての時間リソースを示す、Ｃ２８に記載の装置。
［Ｃ３３］  少なくとも１つのＤ２Ｄユーザ機器（ＵＥ）の他のＳＡ送信を検出するための手段をさらに備え、
ここにおいて、前記ＳＡを送信するための前記時間リソースの前記サブセットを選択するための前記手段は、前記他のＳＡ送信によって示されるリソース以外のリソースを選択するための手段を備える、Ｃ１９に記載の装置。
［Ｃ３４］  時間リソースの前記ブロックと前記ＳＡ送信との間の前記所定の関係を識別するための前記手段は、前記他のＳＡ送信によって示された前記リソースに少なくとも部分的に基づいて、時間リソースの前記ブロックと前記ＳＡ送信との間の前記所定の関係を識別するための手段を含む、Ｃ３３に記載の装置。
［Ｃ３５］  時間リソースの前記ブロックと前記ＳＡ送信との間の前記所定の関係は、基地局によってシグナリングされる、Ｃ１９に記載の装置。
［Ｃ３６］  前記Ｄ２Ｄデータ送信およびＳＡ送信は、車車間（Ｖ２Ｖ）通信である、Ｃ１９に記載の装置。
［Ｃ３７］  通信のための装置であって、
プロセッサと、
前記プロセッサと電子通信状態にあるメモリと、
前記メモリに記憶された命令とを備え、ここにおいて、前記命令は、前記プロセッサによって、
デバイス間（Ｄ２Ｄ）データ送信およびスケジューリング割り当て（ＳＡ）送信のための時間リソースのブロックを識別することと、
周期的ＳＡ送信がない場合、時間リソースの前記ブロックと前記ＳＡ送信との間の所定の関係を識別することと、
時間リソースの前記ブロック全体から、ＳＡを送信するための前記時間リソースのサブセットを選択することと、
前記時間リソースの前記サブセットを使用して、および前記所定の関係に従って前記ＳＡ送信を送信することと
を行うように実行可能である、装置。
［Ｃ３８］  ワイヤレス通信のためのコードを記憶する非一時的なコンピュータ読み取り可能な媒体であって、前記コードは、デバイス間（Ｄ２Ｄ）データ送信およびスケジューリング割り当て（ＳＡ）送信のための時間リソースのブロックを識別することと、
周期的ＳＡ送信がない場合、時間リソースの前記ブロックと前記ＳＡ送信との間の所定の関係を識別することと、
時間リソースの前記ブロック全体から、ＳＡを送信するための前記時間リソースのサブセットを選択することと、
前記時間リソースの前記サブセットを使用して、および前記所定の関係に従って、前記ＳＡ送信を送信することと
を行うように実行可能である命令を備える、非一時的なコンピュータ読み取り可能な媒体。